(57)【要約】マイクロコントローラＡ、故障センサ回路Ｂ、電磁引外し回路Ｃ、低圧電源回路Ｄ、接地線回路ＰＥ、周辺部品Ｆ等から構成される感電防止式漏電遮断器である。その遮断機は、デジタル・ロジック・マイクロコントローラでコントロールされ、感電の回避と同じように漏電と故障からインテリジェント保護および事前保護がなされる。故障は、制御回路における接地線の未取り付け、接地線または中性線の熱、中性線の相線への誤接続、および単線と二線の誤接続を含む。【選択図】図２
2008517434.tif 000002
【特許請求の範囲】
【請求項１】
デジタル・ロジック・マイクロコントローラA、故障センサ回路B、電磁引外し回路C、低圧電源回路D、接地線回路PE、周辺部品F等から構成される感電防止式漏電遮断器であって、その特徴は、
デジタル・ロジック・マイクロコントローラAは前段回路a1、次段回路a2、ロジック処理回路a3、前駆回路a4、デジタル発生回路a5等から構成され、
故障センサ回路Bは漏電センサ回路b1、接地線の未接続等のセンサ回路b2等から構成され、
電磁引外し回路Cは後駆回路c1、電磁引外し器c2等から構成され、
低圧電源回路Dは降圧コンデンサC、フィルタコンデンサC、整流管D、定電圧放電管Dz等から構成され、
接地線回路PEは外殻底部の金属薄板PE、接続リード線等から構成され、
周辺部品Fは開閉遮断機構F1、入力端子F2、出力端子F3、スイッチハンドルF4、過電流及び短絡引外し器F5、可動接触子F6、固定接触子F7、消弧装置F8、漏電テスト回路F9、外殻F10等から構成される。
【請求項２】
デジタル・ロジック・マイクロコントローラAの前段回路a1の入力端が漏電センサ回路b1に接続され、前段回路a1の出力端がロジック処理回路a3の入力端に接続され、次段回路a2の入力端が接地線の未接続等のセンサ回路b2に接続され、次段回路a2の出力端がロジック処理回路a3の入力端に接続され、ロジック処理回路a3の出力端が前駆回路a4の入力端に接続され、前駆回路a4の出力端が後駆回路c1の入力端に接続され、デジタル発生回路a5がデジタル・ロジック・マイクロコントローラAにデジタル信号源を提供することを特徴とする請求項1に記載の感電防止式漏電遮断器。
【請求項３】
デジタル・ロジック・マイクロコントローラAは中規模または大型集積回路で実施できるが、別々の電子部品によっても実施でき、さらに、異なった感度、増幅によって、その回路の組合せを増減でき、それに、本回路原理に従って、その接続順序を変えても実施できることを特徴とする請求項1または請求項2に記載の感電防止式漏電遮断器。
【請求項４】
故障センサ回路Bの中の漏電センサ回路b1は零相変流器T、キャパシタンスC5等から構成され、Tの端1が前段回路a1に接続され、Tの端子2が共通"−"極に接続され、C5がTの端1、端2と並列に接続され、接地線の未取付等のセンサ回路b2はキャパシタンスC3、キャパシタンスC4、結合器w等から構成され、C3の一端が電源の相線の出力端Lに接続され、C3の他端がC4と直列に接続してから結合器wの端1に接続され、wの端2が電源の中性線の出力端Nに接続され、wの端3がデジタル・ロジック・マイクロコントローラAの前段回路の入力端a21に接続され、wの端4がデジタル・ロジック・マイクロコントローラAの前段回路の入力端a22と、キャパシタンスC3、C4と直列に接続された接続点に接続されてから接地線PEに接続されることを特徴とする請求項1に記載の感電防止式漏電遮断器。
【請求項５】
接地線の未取付等のセンサ回路b2の結合器wは電磁結合器または光電結合器を用いて実施してもよく、キャパシタンスC3、キャパシタンスC4は抵抗またはインダクタを用いて実施してよいことを特徴とする請求項1または請求項４に記載の感電防止式漏電遮断器。
【請求項６】
電磁引外し回路Cの中の後駆回路c1はサイリスターSCR、キャパシタンスC6から構成され、SCRのアノードが電磁引外し器c2の端1に接続され、SCRのカソードが共通"−"極に接続、SCRの制御極がデジタル・ロジック・マイクロコントローラAの前駆回路a4の出力端に接続され、キャパシタンスC6の一端がSCRの制御極に接続され、C6の他端が共通"−"極に接続され、電磁引外し器c2はダイオードD3と、続流ダイオード(follow-current
diode)D4を含み、電磁引外し器c2の端2がD3のカソードに接続され、D3のアノードが電源の相線の出力端Lに接続され、D4のカソードがc2の端2に接続され、D4のアノードがc2の端1に接続されることを特徴とする請求項1に記載の感電防止式漏電遮断器。
【請求項７】
電子式電磁引外し器c2は電磁式電磁引外し器c2hを用いて実施してもよく、そして、電磁式電磁引外し器c2hの端2が電磁式零相変流器Thの端2に接続、c2hの端1がThの端1に接続され、後駆回路c1のサイリスターSCRのアノードが抵抗R1と直列に接続されてから、電源の相線の出力端Lに接続され、SCRのカソードが共通"−"極に接続され、SCRの制御極がデジタル・ロジック・マイクロコントローラAの前駆回路a4の出力端に接続され、キャパシタンスC6の一端がSCRの制御極に接続され、C6の他端が共通"−"極に接続されることを特徴とする請求項1または請求項６に記載の感電防止式漏電遮断器。
【請求項８】
接地線回路PEは外殻底部の金属薄板PE及び接続リード線から構成され、その中で、PEの一端が接地線の未取付等のセンサ回路b2の中のキャパシタンスC3とキャパシタンスC4と直列に接続された接続点に接続され、PEの他端が外殻底部の金属薄板PEの接続端子に接続され、はじめて使用するとき、PEの入力端が"TN-C-S"の用電システムの接地線PENに固着され、または、"T-T"の用電システムの接地接地線に固着され、又は重複接地の合格接地線に固着され、出力端が制御電器設備の金属筐体や金属フレームに固着されることを特徴とする請求項1に記載の感電防止式漏電遮断器。
【請求項９】
低圧電源回路Dは降圧コンデンサC1、フィルタコンデンサC2、整流ダイオードD1、D2、定電圧ダイオードDzから構成され、その中で、キャパシタンスC1の一端が電源の相線の出力端Lに接続され、C1の他端がD1のアノードと、D2のカソードと三端が並列に接続され、D1のカソードと、C2のアノードと、Dzのカソードと三端が並列に接続されて低圧電源の"V＋"極になり、D2のアノードと、C2のカソードと、Dzのアノードと三端が並列に接続されて低圧電源の"V−"極になり、"V＋"極がデジタル・ロジック・マイクロコントローラAの"a＋"に接続され、"V−"極がデジタル・ロジック・マイクロコントローラAの"a−"に接続され、本電源回路の降圧コンデンサC1は降圧抵抗を用いて実施してもよく、整流ダイオードD1、D2からなる半波整流はブリッジ型全波整流を用いて実施してもよく、定電圧ダイオードDzは三端子レギュレータを用いて実施してもよいことを特徴とする請求項1に記載の感電防止式漏電遮断器。
【請求項１０】
過電流、短絡保護機能を備える感電防止式漏電遮断器は過電流及び短絡引外し器F5、消弧装置F8を配置し、過電流、短絡保護機能を備えない感電防止式漏電遮断器は過電流及び短絡引外し器F5、消弧装置F8を配置しないことを特徴とする請求項1に記載の感電防止式漏電遮断器。
【発明の詳細な説明】
【技術分野】
【０００１】
本発明は感電防止式漏電遮断器に関し、特にデジタル・ロジック・マイクロコントローラにて制御され、漏電保護機能、過電流保護機能、短絡保護機能を有し、また、"接地線（アース線）の未取付"（接地線が外れていたり、断線のため無効）、"接地線が帯電"、"中性線が帯電"、"中性線と相線の誤接続"及び"単相と二相の誤接続"(過電圧)等さまざまな人体への感電、電気火災を起こしやすい電気故障に対し、新型の感電防止インテリジェント保護及び事前保護機能を有し、人体への間接感電や電気火災の恐れを根本から解消可能な感電防止式漏電遮断器に関するものである。
【背景技術】
【０００２】
現在世界中の漏電遮断器は半世紀あまり前から使用されており、構造と遮断容量の増大等の方面で絶えず改良と革新が続けられ、ハイテクの域に達した。しかし、その主な機能においては、まだ不完全で、制御回路における"接地線の未取付"（接地線が外れていたり、断線のため無効）、"接地線が帯電"、"中性線が帯電"、"中性線と相線の誤接続"及び"単相と二相の誤接続"（過電圧）等さまざまな人体への感電を起こす電気故障からの保護作用がない、または、感電後に保護作用が働く等の欠点がある。
【０００３】
感電後の保護は人体に軽傷または重傷を負わせるため、完全な保護方式ではない。
【０００４】
感電を起こさず保護でき、感電しないから、人体に傷害を与えない、これがより完全な保護方式である。完全な保護は不完全な保護より優れていることは自明である。
【０００５】
本発明は感電防止インテリジェント保護を核心とした独創的なデジタル・ロジック・マイクロコントローラである。その消費電力は少なく、サイズも小さく、インストールが簡単で、製造コストが低い。したがって、本発明は世界中の同型漏電遮断器と比べて、より消費電力が少なくて、製造コストはわずかに高いが、サイズがより小型となっている。
【０００６】
制御回路における"接地線の未取付"（接地線が外れていたり、断線のため無効）、"接地線が帯電"、"中性線が帯電"、"中性線と相線の誤接続"及び"単相と二相の誤接続"（過電圧）等さまざまな電気故障（以下、必要時以外は、これらの電気故障を"接地線の未取付等"の電気故障と略称する）に対して、感電防止インテリジェント保護は安全に電気を使用する上で、信頼性の高い措置である。
【０００７】
それは、現在世界中の漏電遮断器を使用しても接地線による保護に取って替わることができない。接地線保護がなければ、感電後の保護となるか、または、感電しても保護できないような不完全なものとなる。
【０００８】
感電後の保護は必ず人体に傷害を与える。人体が30mAの感電電流の電撃を受けることは安全ではない。異なった感電環境(湿潤な場所及び二次被害に巻き込まれやすい環境)、異なった人(青年、壮年、老人、幼児、妊婦、病人、障害者等)等によって、その感電電流が10-25mAであっても、人体に軽傷または重傷を負わせ、死亡に至ることもある。これは、感電にあった瞬間、多くの被害者がパニック状態になり、もし自力で速やかに電源から接触部分を引き離せず、それに、漏電遮断器も動作すべきレベルの電流を超えていないため、電流が遮断されなくなる。そして、電流が体の中に流れ続けると、感電死に至ることもある。
【０００９】
アメリカ、日本及び中国等の関係機構によって行われれた感電死や電気火災などの事故の調査分析によると、その大半は、使用する電気設備が"接地線の未取付"（接地線が外れていたり、断線のため無効）、"接地線が帯電"、"中性線が帯電"、"中性線と相線の誤接続"及び"単相と二相の誤接続"(過電圧)等の電気故障が原因とされ、これらの電気故障は現在世界中の漏電遮断器の保護の"盲点"(保護できないかまたは感電後の保護)である。それゆえ、アメリカ、日本等のような発展先進国は早くも前世紀六十年代の初期から"電流動作型"の漏電遮断器を使い始めたが、いまだに毎年相当数量の見逃すことのできない感電死亡及び電気火災事故が起きている。
【００１０】
接地（線）保護は大切であるが、現存の技術では接地線保護設備が有効に存在しているか保証できない。
【００１１】
したがって、回路における"接地線の未取付等"の電気故障に対して、独創的インテリジェント保護機能を有した「感電防止式漏電遮断器」だけが制御回路の接地線保護に有効であることを保証できる。これは全世界の電気の安全使用、感電による死傷、電気火災を防止することにも大きな貢献を果たす。
【発明の開示】
【発明が解決しようとする課題】
【００１２】
本発明の主な目的はデジタル・ロジック・マイクロコントローラに制御され、漏電保護機能、過電流保護機能、短絡保護機能を有し、また、制御回路における"接地線の未取付"（接地線が外れていたり、断線のため無効）、"接地線が帯電"、"中性線が帯電"、"中性線と相線の誤接続"及び"単相と二相の誤接続"(過電圧)等さまざまな人体への感電や電気火災を起こしやすいような電気故障に新型の感電防止インテリジェント保護及び事前保護機能を有し、人体への間接感電や電気火災の恐れを根本から解消可能な感電防止式漏電遮断器を提供することである。
【００１３】
本発明のもう一つの目的は新型の感電防止インテリジェント保護及び事前感電保護機能を有した「感電防止式漏電遮断器」を提供し、現在世界中の漏電遮断器が制御回路において、接地線の未接続等の電気故障に対して、感電後の保護または保護できないという欠陥を補うことである。
【００１４】
本発明のさらにもう一つの目的は世界中の同型漏電遮断器より消費電力が少なく、製造コストはわずかに高いが、サイズがより小型の新世代の感電防止式漏電遮断器を提供することである。
【課題を解決するための手段】
【００１５】
本発明は主にデジタル・ロジック・マイクロコントローラA、故障センサ回路B、電磁引外し回路C、低圧電源回路D、接地線回路PE、周辺部品F等から構成される。
【００１６】
その中、一.デジタル・ロジック・マイクロコントローラAは前段回路a1、次段回路a2、ロジック処理回路a3、前駆回路a4、デジタル発生回路a5を含む。
【００１７】
二.故障センサ回路Bは漏電センサ回路b1、接地線の未取付等のセンサ回路b2を含む。
【００１８】
三.電磁引外し回路Cは後駆回路c1、電磁引外し器c2を含む。
【００１９】
四.低圧電源回路Dは降圧コンデンサC1、フィルタコンデンサC2、ダイオードD1、ダイオードD2、定電圧放電管Dzを含む。
【００２０】
五.接地線回路PEは外殻底部の金属薄板PE端子、接続リード線を含む。
【００２１】
周辺部品Fは開閉遮断機構F1、入力端子F2、出力端子F3、スイッチハンドルF4、過電流及び短絡引外し器F5、可動接触子F6、固定接触子F7、消弧装置F8、漏電テスト回路F9、外殻F10等を含む。
【発明の効果】
【００２２】
本発明は、人体感電による死傷を引き起こす漏電電気故障をあらかじめ自動的に解消できる。本発明は世界中の同型漏電遮断器に比べ、低消費電力であり、製造コストはわずかに高いが、サイズは小型である。
【発明を実施するための最良の形態】
【００２３】
本発明の動作原理及び各回路の構成、接続について、次の実施例を用いて説明する。
【実施例１】
【００２４】
本実施例は三相電子式感電防止式漏電遮断器で、(五線：L1＋L2＋L3＋N＋PE)その電気接続図は図4に示すとおりである。本実施例の構造と構成は以下のとおりである。デジタル・ロジック・マイクロコントローラA、故障センサ回路B、電磁引外し回路C、低圧電源回路D、接地線回路PE、周辺部品F等から構成される。
【００２５】
本実施例の回路構成、接続は以下のとおりである。
【００２６】
(1).低圧電源回路Dは降圧コンデンサC1、フィルタコンデンサC2、ダイオードD1、ダイオードD2、定電圧放電管Dzから構成される。その中で、C1の一端が相線のL3d端に接続、C1の他端がD1のアノード、D2のカソードと並列に接続される。D1のカソードとC2のアノードと、Dzのカソードと並列に接続されて低圧電源V＋になる。D2のアノードとC2のカソードと、Dzのアノードと並列に接続されて低圧電源V−になる。V＋はデジタル・ロジック・マイクロコントローラAのa＋に接続、V−はAのa−に接続される。V−は共通"−"極でもあり、中性線Nbに接続される。
【００２７】
(2).故障センサ回路Bの中の漏電センサ回路b1は零相変流器T、キャパシタンスC5等から構成される。その中で、T電磁巻線の中央の穴に三相の相線L1b、L2b、L3b及び中性線Nbが通され、T巻線の端1が前段回路の入力端a1に接続、T巻線の端2が共通"−"極に接続、C5の一端がT巻線の端1に接続、C5の他端が
T巻線の端2に接続される。
【００２８】
(3).故障センサ回路Bの中の接地線の未取付等のセンサ回路b2は結合器w、キャパシタンスC3、キャパシタンスC4等から構成される。その中で、C3の一端が電源の相線の出力端Ldに接続、C3の他端がC4と直列に接続してからwの端1に接続、wの端2が電源の中性線Ndに接続される。wの端3が次段回路a2の入力端a21に接続、wの端4が入力端a22に接続される。
【００２９】
(4).後駆回路c1はサイリスターSCR、キャパシタンスC6等から構成される。その中で、SCRのアノードがc2の端1に接続、SCRのカソードが共通"−"極に接続、SCRの制御極が前駆回路の出力端a4に接続、C6の一端がSCRの制御極に接続、C6の他端が共通"−"極に接続される。
【００３０】
(5).電磁引外し器c2 はダイオードD3、続流ダイオードD4を含む。その中で、c2の端2がD3のカソードに接続、D3のアノードが相線のL3d端に接続、c2の端1がSCRのアノードに接続、D4のカソードがc2の端2に接続、D4のアノードがc2の端1に接続される。
【００３１】
(6).過電流及び短絡引外し器F5はF51、F52、F53等を含む。その中で、F51の一端が相線のL1b端に接続、F51の他端が相線のL1c端に接続される。F52の一端が相線のL2b端に接続、F52の他端が相線のL2c端に接続、F53の一端が相線のL3b端に接続、F53の他端が相線のL3c端に接続される。
【００３２】
(7).接地線PE、その一端が接地線の未取付等のセンサ回路b2の中のC3とC4の接続点から引き出され、PEの他端が外殻底部の金属薄板PEの接続端子に接続される。はじめて使用するとき、PEの入力端が"TN-C-S"の用電システムの接地線PENに固着、または、"T-T"の用電システムの接地接地線に固着、又は重複接地の合格接地線に固着、出力端が制御電器設備の金属外殻や金属フレームに固着される。
【００３３】
(8).漏電テスト回路F9は抵抗R、漏電テストスイッチS等から構成される。その中で、Rの一端が相線のL3b端に接続、Rの他端がスイッチSの一端に接続、スイッチSの他端が中性線Nbに接続される。
【００３４】
(9).入力端子F21、F22、F23、F24にそれぞれの対応する相線L1a、相線L2a、相線L3a、中性線Naが接続される。出力端子F31、F32、F33、F34にそれぞれの対応する相線L1d、相線L2d、相線L3d、中性線Nbが接続される。
【００３５】
本実施例の動作原理：
通電使用時において、先にスイッチハンドルF4を"ON"位置に倒し、もし制御回路は回路の漏電、或は"接地線の未接続等"の電気故障が生じなければ、開閉遮断機構F1により、可動接触子F6が固定接触子F7に押圧連結され、それにより、電源側から制御回路に正常供電させる。
【００３６】
例1-1、制御回路は回路が漏電で故障した場合、主に零相変流器T等から構成された漏電センサ回路b1を介して→前段回路a1→ロジック処理回路a3→前駆回路a4→後駆回路c1→電磁引外し器c2→→トリップ動作させて遮断する。全作業は0.1秒未満で、このように、電気故障が起きてからの0.1秒以内に、人体感電による死傷を引き起こす漏電電気故障をあらかじめ自動的に解消できる。
【００３７】
例1-2、制御回路は接地線の未接続で故障した場合、通常の状況では、接地線PEが"TN-C-S"の用電システムの接地線PENに接続、または、"T-T"の用電システムの接地接地線に接続、又は重複接地の合格接地線に接続される。このように、接地線PEと中性線N及び"大地"との間には、電位差がないまたはわずかの電位差しかない。接地線の未接続で故障した場合、接地線PEがぶら下がり、接地線の未接続等のセンサ回路b2の結合器wに高電圧が生じ、この高電圧が→次段回路a2→ロジック処理回路a3→前駆回路a4→後駆回路c1→電磁引外し器c2の順に結合され→→トリップ動作させて遮断する。全作業は0.2-1秒未満で、しかも調整可能である。このように、電気故障が起きてからの0.2-1秒以内に、人体感電による死傷を引き起こす接地線の未取付というような電気故障をあらかじめ自動的に解消できる。
【００３８】
例1-3、制御回路は接地線が帯電するというような故障が生じた場合、通常の状況では、接地線PEと中性線N及び"大地"との間には、電位差がないまたはわずかの電位差しかない。相線と中性線が持続的に短絡が生じた場合、("TN"の用電システムの中に)または他の回路により大きい漏電故障が生じた場合も接地線が帯電するというような故障を生じさせ、("TN"の用電システムの中にも電器設備の外殻が帯電することになり、これは非常に危険である）。接地線が帯電するというような電気故障が生じた場合、接地線PEが中性線Nに対しても、"大地"に対しても高電圧が生じ、これも接地線の未取付等のセンサ回路b2の結合器wに高電圧を生じさせ、この高電圧が→前段回路a2→ロジック処理回路a3→前駆回路a4→後駆回路c1→電磁引外し器c2の順に結合され→→トリップ動作させて遮断する。全作業は0.2-1秒以内で、しかも調整可能。このように、電気故障が起きてからの0.2-1秒以内に、人体感電による死傷を引き起こす接地線の帯電というような電気故障をあらかじめ自動的に解消することができる。
【００３９】
例1-4、制御回路は中性線が帯電するというような故障が生じた場合、通常の状況では、中性線Nが接地線PE及び"大地"との間には、電位差がないまたはわずかの電位差しかない。中性線と相線が誤接続されるまたは三相欠相などの場合には中性線が帯電するというような故障を生じさせる。これは中性線Nが接地線PE及び"大地"に人体感電による死傷を引き起こす電位差が生じ(もし"TN"の用電システムにも電器設備の外殻が帯電することになれば、これは非常に危険で、この高電圧が接地線の未取付等のセンサ回路b2の結合器wに高電圧を生じさせ、この高電圧が→前段回路a2→ロジック処理回路a3→前駆回路a4→後駆回路c1→電磁引外し器c2の順に結合され→→トリップ動作させて遮断する。全作業は0.2-1秒以内で、しかも調整可能である。このように、電気故障が起きてからの0.2-1秒以内に、人体感電による死傷を引き起こす中性線の帯電というような電気故障をあらかじめ自動的に解消することができる。
【００４０】
例1-5、制御回路は中性線と相線が誤接続されるような故障が生じた場合、その状況は中性線の帯電のような故障に近く、これも電気故障が起きてからの0.2-1秒以内に、人体感電による死傷を引き起こす中性線の帯電というような電気故障をあらかじめ自動的に解消できる。
【００４１】
例1-6、制御回路は単相と二相が誤接続されるような電気故障が生じた場合、その状況は中性線の帯電のような故障に近いが、この電気故障が二倍に近い過電圧を生じさせるので、数秒内に制御回路を焼き尽くし、もっとも火災を引き起こしやすい。
【００４２】
本発明は故障が起きてからの0.2-1秒以内で、人体感電による死傷、電器火災のような重大事故をあらかじめ自動的に解消できる。
【００４３】
例1-7、制御回路は単相、二相または三相過電流、短絡等の電気故障が生じた場合、その関係する引外し器F51、F52、F53には電磁吸引力・反発力が生じ、トリップ動作して遮断保護をする。
【実施例２】
【００４４】
本実施例は単相電子式感電防止式漏電遮断器で、(三線：L＋N＋PE)、その電気接続図は図5に示すとおりである。
【００４５】
本実施例の構造と構成は以下のとおりである。デジタル・ロジック・マイクロコントローラA、故障センサ回路B、電磁引外し回路C、低圧電源回路D、接地線回路PE、周辺部品F等から構成される。
【００４６】
本実施例の回路構成、接続は以下のとおりである。
【００４７】
(1).低圧電源回路Dは降圧コンデンサC1、フィルタコンデンサC2、ダイオードD1、ダイオードD2、定電圧放電管Dzから構成される。その中で、C1の一端が相線のLd端に接続、C1の他端がD1のアノード、D2のカソードと並列に接続される。D1のカソードとC2のアノードと、Dzのカソードと並列に接続されて低圧電源V＋になる。D2のアノードとC2のカソードと、Dzのアノードと並列に接続されて低圧電源V−になる。V＋はデジタル・ロジック・マイクロコントローラAのa＋に接続、V−はAのa−に接続される。V−は共通"−"極でもあり、中性線Nbに接続される。
【００４８】
(2).故障センサ回路Bの中の漏電センサ回路b1は零相変流器T、キャパシタンスC5等から構成される。その中で、T電磁巻線の中央の穴に相線Lc及び中性線Ncが通され、T巻線の端1が前段回路の入力端a1に接続、T巻線の端2が共通"−"極に接続、C5の一端がT巻線の端1に接続、C5の他端が
T巻線の端2に接続される。
【００４９】
(3).故障センサ回路Bの中の接地線の未取付等のセンサ回路b2は結合器w、キャパシタンスC3、キャパシタンスC4等から構成される。その中で、C3の一端が電源の相線の出力端Ldに接続、C3の他端がC4と直列に接続してからwの端1に接続、wの端2が電源の中性線Ndに接続される。wの端3が次段回路a2の入力端a21に接続、wの端4が入力端a22に接続される。
【００５０】
(4).後駆回路c1はサイリスターSCR、キャパシタンスC6等から構成される。その中で、SCRのアノードがc2の端1に接続、SCRのカソードが共通"−"極に接続、SCRの制御極が前駆回路の出力端a4に接続、C6の一端がSCRの制御極に接続、C6の他端が共通"−"極に接続される。
【００５１】
(5).電磁引外し器c2はダイオードD3、続流ダイオードD4を含む。その中で、c2の端2がD3のカソードに接続、D3のアノードが相線のLd端に接続、c2の端1がSCRのアノードに接続、D4のカソードがc2の端2に接続、D4のアノードがc2の端1に接続される。
【００５２】
(6).過電流及び短絡引外し器F5はF51、F52を含む。その中で、F51の一端が相線のL1b端に接続、F51の他端が相線のL1c端に接続される。F52の一端が中性線のNb端に接続、F52の他端が中性線のNc端に接続される。
【００５３】
(7).接地線PE、その一端が接地線の未取付等のセンサ回路b2の中のC3とC4の接続点から引き出され、PEの他端が外殻底部の金属薄板PEの接続端子に接続される。はじめて使用するとき、PEの入力端が"TN-C-S"の用電システムの接地線PENに固着、または、"T-T"の用電システムの接地接地線に固着、又は重複接地の合格接地線に固着、出力端が制御電器設備の金属外殻や金属フレームに固着される。
【００５４】
(8).漏電テスト回路F9は抵抗R、漏電テストスイッチS等から構成される。その中で、Rの一端が相線のLc端に接続、Rの他端がスイッチSの一端に接続、スイッチSの他端が中性線Ndに接続される。
【００５５】
(9).入力端子F21、F22にそれぞれの対応する相線La、中性線Naが接続される。
【００５６】
(10).出力端子F31、F32にそれぞれの対応する相線Ld、中性線Ndが接続される。
【００５７】
実施例２の動作原理は実施例1の動作原理と大体同じで、重複説明は省略する。
【実施例３】
【００５８】
本実施例は単相電子式感電防止式漏電遮断器で、(三線：L＋N＋PE)その電気接続図は図6に示すとおりである。
【００５９】
現在の技術述語の中では、一般的には、過電流、短絡遮断保護機能を兼ねる漏電保護器を漏電遮断器と名づけ、過電流、短絡遮断保護機能を兼ねないものを漏電保護器と名づける。
【００６０】
本実施例は過電流、短絡遮断保護機能を兼ねないもので、感電防止式漏電保護器と名づける。
【００６１】
本実施例の構造と構成は以下のとおりである。デジタル・ロジック・マイクロコントローラA、故障センサ回路B、電磁引外し回路C、低圧電源回路D、接地線回路PE、周辺部品F等から構成される。
【００６２】
本実施例の回路構成、接続は以下のとおりである。
【００６３】
(1).低圧電源回路Dは降圧コンデンサC1、フィルタコンデンサC2、ダイオードD1、ダイオードD2、定電圧放電管Dzから構成される。その中で、C1の一端が相線のLc端に接続、C1の他端がD1のアノード、D2のカソードと並列に接続される。D1のカソードとC2のアノードと、Dzのカソードと並列に接続されて低圧電源V＋になる。D2のアノードとC2のカソードと、Dzのアノードと並列に接続されて低圧電源V−になる。V＋はデジタル・ロジック・マイクロコントローラAのa＋に接続され、V−はAのa−に接続される。V−は共通"−"極でもあり、中性線Ncに接続される。
【００６４】
(2).故障センサ回路Bの中の漏電センサ回路b1は零相変流器T、キャパシタンスC5等から構成される。その中で、T電磁巻線の中央の穴に相線Lc及び中性線Ncが通され、T巻線の端1が前段回路の入力端a1に接続、T巻線の端2が共通"−"極に接続、C5の一端がT巻線の端1に接続、C5の他端が
T巻線の端2に接続される。
【００６５】
(3).故障センサ回路Bの中の接地線の未取付等のセンサ回路b2は結合器w、キャパシタンスC3、キャパシタンスC4等から構成される。その中で、C3の一端が電源の相線の出力端Lcに接続、C3の他端がC4と直列に接続してからwの端1に接続、wの端2が電源の中性線Ncに接続される。wの端3が次段回路a2の入力端a21に接続、wの端4が入力端a22に接続される。
【００６６】
(4).後駆回路c1はサイリスターSCR、キャパシタンスC6等から構成される。その中で、SCRのアノードがc2の端1に接続、SCRのカソードが共通"−"極に接続、SCRの制御極が前駆回路の出力端a4に接続、C6の一端がSCRの制御極に接続、C6の他端が共通"−"極に接続される。
【００６７】
(5).電磁引外し器c2 はダイオードD3、続流ダイオードD4を含む。その中で、c2の端2がD3のカソードに接続、D3のアノードが相線のLc端に接続、c2の端1がSCRのアノードに接続、D4のカソードがc2の端2に接続、D4のアノードがc2の端1に接続される。
【００６８】
(6).接地線PE、その一端が接地線の未取付等のセンサ回路b2の中のC3とC4の接続点から引き出され、PEの他端が外殻底部の金属薄板PEの接続端子に接続される。はじめて使用するとき、PEの入力端が"TN-C-S"の用電システムの接地線PENに固着、または、"T-T"の用電システムの接地接地線に固着、又は重複接地の合格接地線に固着、出力端が制御電器設備の金属外殻や金属フレームに固着される。
【００６９】
(7).漏電テスト回路F9は抵抗R、漏電テストスイッチS等から構成される。その中で、Rの一端が相線のLc端に接続、Rの他端がスイッチSの一端に接続、スイッチSの他端が中性線Ncに接続される。
【００７０】
(8).入力端子F21、F22にそれぞれの対応する相線La、中性線Naが接続される。出力端子F31、F32にそれぞれの対応する相線Lc、中性線Ncが接続される。
【００７１】
実施例3の動作原理は実施例2の動作原理と大体同じで、重複説明は省略する。
【実施例４】
【００７２】
本実施例は単相電子式感電防止式漏電遮断器で、(三線：L+N+PE)その電気接続図は図7に示すとおりである。本実施例の回路構成、接続は以下のとおりである。
【００７３】
(1).低圧電源回路Dは降圧コンデンサC1、フィルタコンデンサC2、ダイオードD1、ダイオードD2、定電圧放電管Dzから構成される。その中で、C1の一端が相線のLc端に接続、C1の他端がD1のアノード、D2のカソードと並列に接続される。D1のカソードとC2のアノードと、Dzのカソードと並列に接続されて低圧電源V＋になる。D2のアノードとC2のカソードと、Dzのアノードと並列に接続されて低圧電源V−になる。V＋はデジタル・ロジック・マイクロコントローラAのa＋に接続、V−はAのa−に接続される。V−は共通"−"極でもあり、中性線Ncに接続される。
【００７４】
(2).漏電センサ回路b1は電磁式零相変流器Tから構成される。その中で、T電磁巻線の中央の穴に相線Lb及び中性線Nbが通され、T巻線の端1が電磁式電磁引外し器c2の端1に接続、T巻線の端2が電磁式電磁引外す器c2の端2に接続される。
【００７５】
(3).接地線の未取付等のセンサ回路b2は結合器w、キャパシタンスC3、キャパシタンスC4等から構成される。その中で、C3の一端が電源の相線の出力端Lcに接続、C3の他端がC4と直列に接続してからwの端1に接続、wの端2が電源の中性線Ncに接続される。wの端3がデジタル・ロジック・マイクロコントローラAの入力端a21に接続、wの端4が入力端a22に接続される。
【００７６】
(4).後駆回路c1はサイリスターSCR、キャパシタンスC6、限流抵抗R1等から構成される。その中で、SCRのアノードがR1と直列に接続してから、電源の相線の出力端Lcに接続、SCRのカソードが共通"−"極に接続、SCRの制御極が前駆回路の出力端a4に接続、C6の一端がSCRの制御極に接続、C6の他端が共通"−"極に接続される。
【００７７】
(5).電磁式電磁引外し器c2の接続は上記の（２）ですでに述べたとおりである。
【００７８】
(6).接地線PE、その一端が接地線の未取付等のセンサ回路b2の中のC3とC4の接続点から引き出され、PEの他端が外殻F10の底部にある金属薄板PEの接続端子に接続される。はじめて使用するとき、PEの入力端が"TN-C-S"の用電システムの接地線PENに固着、または、"T-T"の用電システムの接地接地線に固着、又は重複接地の合格接地線に固着、出力端が制御電器設備の金属外殻や金属フレームに固着される。
【００７９】
漏電テスト回路F9は抵抗R2、漏電テストスイッチS等から構成される。その中で、Rの一端が相線のLb端に接続、R2の他端がスイッチSの一端に接続、スイッチSの他端が中性線Nbに接続される。
【００８０】
入力端子F21、F22にそれぞれの対応する相線La、中性線Naが接続される。出力端子F31、F32にそれぞれの対応する相線Lc、中性線Ncが接続される。
【００８１】
実施例４の動作原理は実施3の動作原理と大体同じで、重複説明は省略する。
【図面の簡単な説明】
【００８２】
【図１】本発明の側面断面図である。
【図２】本発明の電気接続のブロック図である。
【図３】本発明のデジタル・ロジック・マイクロコントローラAの内部構造図である。
【図４】本発明の実施例１の回路図である。
【図５】本発明の実施例２の回路図である。
【図６】本発明の実施例３の回路図である。
【図７】本発明の実施例４の回路図である。
【図１】
2008517434.tif 000003
【図２】
2008517434.tif 000004
【図３】
2008517434.tif 000005
【図４】
2008517434.tif 000006
【図５】
2008517434.tif 000007
【図６】
2008517434.tif 000008
【図７】
2008517434.tif 000009
【国際調査報告】
2008517434.tif 000010
2008517434.tif 000011
2008517434.tif 000012
2008517434.tif 000013
2008517434.tif 000014
2008517434.tif 000015